(57)【要約】【課題】装置間の誤接続を容易かつ迅速に検出すること。【解決手段】相互に接続された一対の装置と、当該装置間の接続を管理する管理装置と、を備え、管理装置が、一対の装置にそれぞれ設けられた各接続先情報記憶手段に、予め設定されたそれぞれの接続先を表す接続先情報を送信して記憶する接続先情報通知手段を備えると共に、各接続先情報に基づいて一対の装置の接続が正しいか否かを判断する接続判断手段を備え、各装置の通常作動時に必要な電力よりも低い電力にて、各接続先情報記憶手段は管理装置から送信された接続先情報をそれぞれ記憶保持すると共に接続判断手段に送信し、いずれか一方の装置に備えられた接続先情報記憶手段は接続先情報を接続されている他の装置との接続箇所を介して接続判断手段に送信する。【選択図】図１
2009104351.tif 000002
【特許請求の範囲】
【請求項１】
相互に接続された一対の装置と、当該装置間の接続を管理する管理装置と、を備え、
一方の前記装置内に少なくとも自装置を特定する装置情報を記憶する装置情報記憶手段と、他方の前記装置内に自装置及び接続先装置を特定する接続先情報を記憶する接続先情報記憶手段と、を備えると共に、
前記装置情報と前記接続先情報とに基づいて前記一対の装置の接続が正しいか否かを判断する接続判断手段と、を備えており、
前記管理装置が、前記他方の装置に設けられた前記接続先情報記憶手段に、予め設定された前記接続先情報を送信して記憶する接続先情報通知手段と、を備え、
前記各装置の通常作動時に必要な電力よりも低い電力にて、前記装置情報記憶手段及び前記接続先情報記憶手段はそれぞれ記憶している情報を保持すると共に前記接続判断手段に送信し、前記装置情報記憶手段あるいは前記接続先情報記憶手段の一方は記憶している情報を接続されている他の前記装置との接続箇所を介して前記接続判断手段に送信する、
ことを特徴とする接続状態判断システム。
【請求項２】
相互に接続された一対の装置と、当該装置間の接続を管理する管理装置と、を備え、
前記管理装置が、前記一対の装置にそれぞれ設けられた各接続先情報記憶手段に、予め設定されたそれぞれの接続先を表す接続先情報を送信して記憶する接続先情報通知手段を備えると共に、
前記各接続先情報に基づいて前記一対の装置の接続が正しいか否かを判断する接続判断手段を備え、
前記各装置の通常作動時に必要な電力よりも低い電力にて、前記各接続先情報記憶手段は前記管理装置から送信された前記接続先情報をそれぞれ記憶保持すると共に前記接続判断手段に送信し、いずれか一方の前記装置に備えられた前記接続先情報記憶手段は前記接続先情報を接続されている他の前記装置との接続箇所を介して前記接続判断手段に送信する、
ことを特徴とする接続状態判断システム。
【請求項３】
前記管理装置が有する前記接続先情報通知手段は、前記接続先情報の変更の入力を受け付けて、前記接続先情報記憶手段に送信して記憶する、
ことを特徴とする請求項１又は２記載の接続状態判断システム。
【請求項４】
前記各装置の通常作動時に必要な電力よりも低い電力にて前記接続判断手段による判断結果を出力する出力手段を、前記一対の装置の少なくとも１つに備えた、
ことを特徴とする請求項１，２又は３記載の接続状態判断システム。
【請求項５】
前記接続判断手段は、前記一対の装置のいずれかに備えられており、当該接続判断手段は、当該装置の通常作動時に必要な電力よりも低い電力にて作動する、
ことを特徴とする請求項１，２，３又は４記載の接続状態判断システム。
【請求項６】
前記接続判断手段は、前記管理装置に装備されている、
ことを特徴とする請求項１，２又は３記載の接続状態判断システム。
【請求項７】
前記装置の通常作動時に必要な電力よりも低い電力は、当該装置のスタンバイ時の電力である、
ことを特徴とする請求項１，２，３，４，５又は６記載の接続状態判断システム。
【請求項８】
相互に接続された一対の装置であって、
一方の前記装置内に少なくとも自装置を特定する装置情報を記憶する装置情報記憶手段と、他方の前記装置内に前記一対の装置間の接続を管理する管理装置から送信された自装置及び接続先装置を特定する接続先情報を記憶する接続先情報記憶手段と、を備え、
前記各装置の通常作動時に必要な電力よりも低い電力にて、前記装置情報記憶手段及び前記接続先情報記憶手段はそれぞれ記憶している情報を保持すると共に、当該情報を前記装置情報と前記接続先情報とに基づいて前記一対の装置の接続が正しいか否かを判断する接続判断手段接続判断手段に送信し、前記装置情報記憶手段あるいは前記接続先情報記憶手段の一方は記憶している情報を接続されている他の前記装置との接続箇所を介して前記接続判断手段に送信する、
ことを特徴とする一対の装置。
【請求項９】
相互に接続された一対の装置であって、
前記各装置に、当該装置間の接続を管理する管理装置から送信された各装置それぞれの接続先を表す接続先情報を記憶する接続先情報記憶手段をそれぞれ備え、
前記各装置の通常作動時に必要な電力よりも低い電力にて、前記各接続先情報記憶手段は前記管理装置から送信された前記接続先情報をそれぞれ記憶保持すると共に当該接続先情報に基づいて前記一対の装置の接続が正しいか否かを判断する接続判断手段に送信し、いずれか一方の前記装置に備えられた前記接続先情報記憶手段は前記接続先情報を接続されている他の前記装置との接続箇所を介して前記接続判断手段に送信する、
ことを特徴とする一対の装置。
【請求項１０】
相互に接続された一対の装置の接続を管理する接続状態判断方法であって、
一方の前記装置に少なくとも自装置を特定する装置情報を記憶する装置情報記憶手段と、他方の前記装置内に自装置及び接続先装置を特定する接続先情報を記憶する接続先情報記憶手段と、が備えられており、前記一対の装置間の接続を管理する管理装置から前記他方の装置に設けられた前記接続先情報記憶手段に予め設定された前記接続先情報を送信して記憶する工程と、
前記各装置の通常作動時に必要な電力よりも低い電力にて、前記装置情報記憶手段及び前記接続先情報記憶手段はそれぞれ記憶している情報を保持すると共に当該情報を接続判断手段に送信し、前記装置情報記憶手段あるいは前記接続先情報記憶手段の一方は記憶している情報を接続されている他の前記装置との接続箇所を介して前記接続判断手段に送信する工程と、
前記接続判断手段にて前記前記装置情報と前記接続先情報とに基づいて前記一対の装置の接続が正しいか否かを判断する工程と、
を有することを特徴とする接続状態判断方法。
【請求項１１】
相互に接続された一対の装置の接続状態を判断する接続状態判断方法であって、
前記一対の装置間の接続を管理する管理装置から、前記一対の装置にそれぞれ設けられた各接続先情報記憶手段に、予め設定されたそれぞれの接続先を表す接続先情報を送信して記憶する工程と、
前記各装置の通常作動時に必要な電力よりも低い電力にて、前記各接続先情報記憶手段は前記管理装置から送信された前記接続先情報をそれぞれ記憶保持すると共に接続判断手段に送信し、いずれか一方の前記装置に備えられた前記接続先情報記憶手段は前記接続先情報を接続されている他の前記装置との接続箇所を介して前記接続判断手段に送信する工程と、
前記接続判断手段にて前記各接続先情報に基づいて前記一対の装置の接続が正しいか否かを判断する工程と、
を有することを特徴とする接続状態判断方法。
【発明の詳細な説明】
【技術分野】
【０００１】
本発明は、接続状態判断システムにかかり、特に、相互に接続された装置を起動せずに接続状態を判断可能なシステムに関する。
【背景技術】
【０００２】
本体装置と周辺装置との接続など、複数の装置間をケーブルで接続した構成をとるシステムにおいては、装置間のケーブル接続が多くなればなるほど、また、接続先が複雑になればなるほど、装置間のケーブル接続の確認に手間がかかり、時間がかかる。具体的には、例えば、ケーブルの接続は、システム構成指示書と呼ばれる接続関係情報を元に、設置作業者が装置間をケーブルで接続している。そして、装置間のケーブルの接続チェックは、作業者が目視でケーブルの接続チェックを行なったり、さらには、システムを立ち上げてから診断ツールによりケーブルの誤接続を検出していた。
【０００３】
【特許文献１】特開平５−１３４７９０号公報
【特許文献２】特開平６−２９００７０号公報
【発明の開示】
【発明が解決しようとする課題】
【０００４】
しかしながら、ケーブルの誤接続を検出すると、ケーブル接続の再確認やシステムを再構築するまでに、システムの電源を落として（ダウンさせて）ケーブル接続の変更を行い、再びシステムを立ち上げてから診断ツールを実行してケーブル接続の確認を行う、という作業が必要となる。従って、ケーブルの誤接続があると、システム構築までにかなりの時間が費やされてしまう、という問題があった。
【０００５】
ここで、特許文献１は、送信カードと受信カードとのケーブル接続を検出する装置を開示している。具体的には、送信カードに記憶した各コネクタの接続先情報と、受信カードに記憶した各コネクタの接続情報と、を比較して、比較結果を接続状態表示部に出力する、というものである。また、特許文献２は、コンピュータに装着されたパッケージ間を接続するケーブルの誤接続を検出するシステムを開示している。具体的には、サービスプロセッサが、第１のパッケージに識別符号を送信し、この識別符号を第２のパッケージを介して受信して、上記第１のパッケージに送信した識別符号と比較することで、ケーブルの誤接続を検出する、というものである。
【０００６】
しかし、上記特許文献１に開示されたシステムは、予め記憶している接続情報に基づいて判断しているため、接続情報の変更に適切に対応することができない。従って、接続情報を変更するためには、システムを起動しなければならず、上述同様に、システム構築に手間と時間がかかる、という問題があった。また、上記特許文献２に開示されたシステムは、識別符号を生成するなど、システムを起動した状態でなければ実行できない処理があり、上述同様に、システム構築に手間と時間がかかる、という問題が生じる。
【０００７】
このため、本発明の目的は、上述した課題である、装置間の誤接続を容易かつ迅速に検出すること、である。
【課題を解決するための手段】
【０００８】
そこで、本発明の一形態である接続状態判断システムは、
相互に接続された一対の装置と、当該装置間の接続を管理する管理装置と、を備え、
一方の装置内に少なくとも自装置を特定する装置情報を記憶する装置情報記憶手段と、他方の装置内に自装置及び接続先装置を特定する接続先情報を記憶する接続先情報記憶手段と、を備えると共に、
装置情報と接続先情報とに基づいて一対の装置の接続が正しいか否かを判断する接続判断手段と、を備えており、
管理装置が、他方の装置に設けられた接続先情報記憶手段に、予め設定された接続先情報を送信して記憶する接続先情報通知手段と、を備え、
各装置の通常作動時に必要な電力よりも低い電力にて、装置情報記憶手段及び接続先情報記憶手段はそれぞれ記憶している情報を保持すると共に接続判断手段に送信し、装置情報記憶手段あるいは接続先情報記憶手段の一方は記憶している情報を接続されている他の装置との接続箇所を介して接続判断手段に送信する、
という構成を採る。
【０００９】
あるいは、本発明の一形態である接続状態判断システムは、
相互に接続された一対の装置と、当該装置間の接続を管理する管理装置と、を備え、
管理装置が、一対の装置にそれぞれ設けられた各接続先情報記憶手段に、予め設定されたそれぞれの接続先を表す接続先情報を送信して記憶する接続先情報通知手段を備えると共に、
各接続先情報に基づいて一対の装置の接続が正しいか否かを判断する接続判断手段を備え、
各装置の通常作動時に必要な電力よりも低い電力にて、各接続先情報記憶手段は管理装置から送信された接続先情報をそれぞれ記憶保持すると共に接続判断手段に送信し、いずれか一方の装置に備えられた接続先情報記憶手段は接続先情報を接続されている他の装置との接続箇所を介して接続判断手段に送信する、
という構成を採る。
【発明の効果】
【００１０】
本発明は、以上のように構成されているため、一対の装置間の接続が正しいか否かを、一対の装置を通常作動させる前に判断することができ、その結果、容易かつ迅速に誤接続を検出することができる、という従来にない優れた効果を有する。
【発明を実施するための最良の形態】
【００１１】
本発明の一形態である接続状態判断システムは、
相互に接続された一対の装置と、当該装置間の接続を管理する管理装置と、を備え、
一方の装置内に少なくとも自装置を特定する装置情報を記憶する装置情報記憶手段と、他方の装置内に自装置及び接続先装置を特定する接続先情報を記憶する接続先情報記憶手段と、を備えると共に、
装置情報と接続先情報とに基づいて一対の装置の接続が正しいか否かを判断する接続判断手段と、を備えており、
管理装置が、他方の装置に設けられた接続先情報記憶手段に、予め設定された接続先情報を送信して記憶する接続先情報通知手段と、を備え、
各装置の通常作動時に必要な電力よりも低い電力にて、装置情報記憶手段及び接続先情報記憶手段はそれぞれ記憶している情報を保持すると共に接続判断手段に送信し、装置情報記憶手段あるいは接続先情報記憶手段の一方は記憶している情報を接続されている他の装置との接続箇所を介して接続判断手段に送信する、
という構成を採る。
【００１２】
あるいは、本発明の一形態である接続状態判断システムは、
相互に接続された一対の装置と、当該装置間の接続を管理する管理装置と、を備え、
管理装置が、一対の装置にそれぞれ設けられた各接続先情報記憶手段に、予め設定されたそれぞれの接続先を表す接続先情報を送信して記憶する接続先情報通知手段を備えると共に、
各接続先情報に基づいて一対の装置の接続が正しいか否かを判断する接続判断手段を備え、
各装置の通常作動時に必要な電力よりも低い電力にて、各接続先情報記憶手段は管理装置から送信された接続先情報をそれぞれ記憶保持すると共に接続判断手段に送信し、いずれか一方の装置に備えられた接続先情報記憶手段は接続先情報を接続されている他の装置との接続箇所を介して接続判断手段に送信する、
という構成を採る。
【００１３】
そして、管理装置が有する接続先情報通知手段は、接続先情報の変更の入力を受け付けて、接続先情報記憶手段に送信して記憶する、という構成を採る。また、接続状態判断システムは、各装置の通常作動時に必要な電力よりも低い電力にて接続判断手段による判断結果を出力する出力手段を、一対の装置の少なくとも１つに備えた、という構成を採る。また、上記接続判断手段は、一対の装置のいずれかに備えられており、当該接続判断手段は、当該装置の通常作動時に必要な電力よりも低い電力にて作動する、という構成を採る。あるいは、接続判断手段は、管理装置に装備されている、という構成を採る。なお、上記装置の通常作動時に必要な電力よりも低い電力は、当該装置のスタンバイ時の電力である、という構成を採る。
【００１４】
上記発明によると、まず、管理装置が接続された一対の装置あるいはいずれかの装置に対して予め設定された接続先情報をそれぞれ送信する。すると、装置は、通常作動時よりの弱い電力、つまり、装置を起動していないスタンバイ状態で、接続先情報を記憶保持する。このとき、一の装置は、装置情報を記憶保持していてもよい。そして、各装置は、当該装置を起動せずにスタンバイ状態で、接続先情報あるいは装置情報を接続判断手段に送信する。このとき、いずれかの装置は、接続先情報あるいは装置情報を、接続された対となる他の装置との接続箇所を介して、接続判断手段に送信する。その後、接続判断手段が、送信された各接続先情報や、接続先情報及び装置情報、に基づいて一対の装置間の接続が正しいか否かを判断する。このとき、接続判断手段は、一対の装置のいずれかに設けられている場合には、スタンバイ電力で作動する。そして、この判断結果を出力することで、オペレータ等は一対の装置を起動する前に接続状態を認識できる。従って、容易かつ迅速に誤接続を検出することができる。また、接続先情報を管理装置から装置に対して送信して記憶しているため、当該接続先情報に変更があった場合であっても、迅速に対応することができる。
【００１５】
また、本発明の他の形態である一対の装置は、
相互に接続された一対の装置であって、
一方の装置内に少なくとも自装置を特定する装置情報を記憶する装置情報記憶手段と、他方の装置内に一対の装置間の接続を管理する管理装置から送信された自装置及び接続先装置を特定する接続先情報を記憶する接続先情報記憶手段と、を備え、
各装置の通常作動時に必要な電力よりも低い電力にて、装置情報記憶手段及び接続先情報記憶手段はそれぞれ記憶している情報を保持すると共に、当該情報を装置情報と接続先情報とに基づいて一対の装置の接続が正しいか否かを判断する接続判断手段接続判断手段に送信し、装置情報記憶手段あるいは接続先情報記憶手段の一方は記憶している情報を接続されている他の装置との接続箇所を介して接続判断手段に送信する、
という構成を採る。
【００１６】
また、本発明の他の形態である一対の装置は、
相互に接続された一対の装置であって、
各装置に、当該装置間の接続を管理する管理装置から送信された各装置それぞれの接続先を表す接続先情報を記憶する接続先情報記憶手段をそれぞれ備え、
各装置の通常作動時に必要な電力よりも低い電力にて、各接続先情報記憶手段は管理装置から送信された接続先情報をそれぞれ記憶保持すると共に当該接続先情報に基づいて一対の装置の接続が正しいか否かを判断する接続判断手段に送信し、いずれか一方の装置に備えられた接続先情報記憶手段は接続先情報を接続されている他の装置との接続箇所を介して接続判断手段に送信する、
という構成を採る。
【００１７】
また、本発明の他の形態である接続状態判断方法は、
相互に接続された一対の装置の接続を管理する接続状態判断方法であって、
一方の装置に少なくとも自装置を特定する装置情報を記憶する装置情報記憶手段と、他方の装置内に自装置及び接続先装置を特定する接続先情報を記憶する接続先情報記憶手段と、が備えられており、一対の装置間の接続を管理する管理装置から他方の装置に設けられた接続先情報記憶手段に予め設定された接続先情報を送信して記憶する工程と、
各装置の通常作動時に必要な電力よりも低い電力にて、装置情報記憶手段及び接続先情報記憶手段はそれぞれ記憶している情報を保持すると共に当該情報を接続判断手段に送信し、装置情報記憶手段あるいは接続先情報記憶手段の一方は記憶している情報を接続されている他の装置との接続箇所を介して接続判断手段に送信する工程と、
接続判断手段にて前記装置情報と接続先情報とに基づいて一対の装置の接続が正しいか否かを判断する工程と、
を有する、という構成を採る。
【００１８】
また、本発明の他の形態である接続状態判断方法は、
相互に接続された一対の装置の接続状態を判断する接続状態判断方法であって、
一対の装置間の接続を管理する管理装置から、一対の装置にそれぞれ設けられた各接続先情報記憶手段に、予め設定されたそれぞれの接続先を表す接続先情報を送信して記憶する工程と、
各装置の通常作動時に必要な電力よりも低い電力にて、各接続先情報記憶手段は管理装置から送信された接続先情報をそれぞれ記憶保持すると共に接続判断手段に送信し、いずれか一方の装置に備えられた接続先情報記憶手段は接続先情報を接続されている他の装置との接続箇所を介して接続判断手段に送信する工程と、
接続判断手段にて各接続先情報に基づいて一対の装置の接続が正しいか否かを判断する工程と、
を有する、という構成を採る。
【００１９】
＜実施形態１＞
以下、本発明の第１の実施形態を、図１乃至図４を参照して説明する。図１は、接続状態判断システムの全体構成を示すブロック図である。図２は、システム管理装置の構成を示すブロック図である。図３は、接続先情報を説明するための説明図である。図４は、接続状態判断システムの動作を示す図である。
【００２０】
［構成］
本発明である接続状態判断システムは、図１に示すように、装置Ａ（１）と、この装置Ａと対となってそれぞれ接続される装置Ｂ（２）、装置Ｃ（３）、装置Ｄ（４）と、を備えており、これらの接続状態を判断するシステムである。また、これらの接続を管理するシステム管理装置５を備えている。以下、各装置について詳述する。
【００２１】
装置Ａ（１）は、後述するように、システム管理装置５から送信される、当該装置Ａ（１）の接続先となる装置を表す接続先情報を記憶する接続先情報格納部１０（接続先情報記憶手段）を有する。なお、接続先情報は、例えば、後述する制御部１２１，１３１，１４１毎に接続される対となる装置情報である。そして、接続先情報格納部１０は、装置Ａ（１）の通常作動時に必要な電力よりも低い電力、つまり、スタンバイ時の電力で、システム管理装置５から送信された接続先情報を記憶して保持することが可能であり、後述する比較部１２０，１３０，１４０に接続先情報を出力する。
【００２２】
また、装置Ａ（１）は、３つの制御部１２１，１３１，１４１を備えており、それぞれケーブル１２，１３，１４を介して、装置Ｂ（２）、装置Ｃ（３）、装置Ｄ（４）が備える各制御部２１，３１，４１と接続される。つまり、装置Ａ（１）の制御部１２１と装置Ｂ（２）、装置Ａ（１）の制御部１３１と装置Ｃ（３）、装置Ａ（１）の制御部１４１と装置Ｄ（４）、がそれぞれ接続される一対の装置となる。
【００２３】
また、装置Ａ（１）は、各制御部１２１，１３１，１４１に対応して、それぞれ対となる装置間の接続状態を判断する比較部１２０，１３０，１４０をそれぞれ備えている。そして、この比較部１２０，１３０，１４０（接続判断手段）は、接続先情報格納部１０に記憶された接続先情報と、後述する接続先となる装置Ｂ，Ｃ，Ｄから送信された接続先情報と、に基づいて、接続されている装置Ｂ，Ｃ，Ｄとの接続が予め設定されているように正しいか否かを判断する。さらに、比較部１２０，１３０，１４０は、上記判断結果をシステム管理装置５に通知すると共に、各制御部１２１，１３１，１４１に対応してそれぞれ設けられた表示部１２２，１３２，１４２（出力手段）を介して、判断結果を出力する。例えば、表示部１２２，１３２，１４２を発光ダイオードにて形成し、比較部１２０，１３０，１４０は、誤接続であると判断した制御部１２１，１３１，１４１に対応する表示部１２２，１３２，１４２を発光するよう制御する。なお、上記比較部１２０，１３０，１４０の動作と、表示部１２２，１３２，１４２の発光動作は、装置Ａ（１）のスタンバイ時の電力で可能である。
【００２４】
また、装置Ｂ（２）、装置Ｃ（３）、装置Ｄ（４）は、後述するように、システム管理装置５から送信される、自装置Ｂ，Ｃ，Ｄの接続先となる装置を表す接続先情報を記憶する接続先情報格納部２０，３０，４０（接続先情報記憶手段）を有する。そして、各接続先情報格納部２０，３０，４０は、各装置Ｂ，Ｃ，Ｄの通常作動時に必要な電力よりも低い電力、つまり、スタンバイ時の電力で、システム管理装置５から送信された接続先情報を記憶して保持することが可能である。さらに、各接続先情報格納部２０，３０，４０は、それぞれが接続されているケーブル１２，１３，１４を介して、接続先となる装置Ａ（１）に送信する。具体的には、各装置Ｂ，Ｃ，Ｄのそれぞれの接続先となる制御部１２１，１３１，１４１に対応する比較部１２０，１３０，１４０に、接続先情報を送信する。なお、接続先情報格納部２０，３０，４０は、上記接続先情報の送信も、各装置Ｂ，Ｃ，Ｄのスタンバイ時の電力で可能である。
【００２５】
次に、図２及び図３を参照して、システム管理装置５の構成について説明する。図２に示すように、システム管理装置５（管理装置）は、ＣＰＵに所定のプログラムが組み込まれることで、接続先設定部５１と、接続先通知部５２と、を備えている。また、記憶装置には、接続先情報記憶部５０を備えている。接続先設定部５１は、オペレータ等によって入力された、装置間の接続先を表す接続先情報を受け付けて、接続先情報記憶部５０に記憶する。そして、接続先通知部５２（接続先情報通知手段）が、装置Ａ，Ｂ，Ｃ，Ｄに対して、それぞれ各装置毎の接続先を表す接続先情報を送信する。例えば、装置Ａに装備された各制御部１２１，１３１，１４１をそれぞれ制御部Ａ１，Ａ２，Ａ３とし、装置Ｂ，Ｃ，Ｄに装備された制御部をそれぞれ制御部Ｂ１，Ｃ１，Ｄ１とした場合に、接続先情報は、図３に示すように、対となって接続される制御部の符号を関連付けた情報となる（例えば、Ａ１−Ｂ１など）。つまり、接続先情報は、接続される自装置及び接続先装置を特定する情報が関連付けられた情報である。そして、システム管理装置５は、各装置Ａ，Ｂ，Ｃ，Ｄに対して当該各装置が関連する情報のみを送信して、各接続先情報格納部１０，２０，３０，４０に記憶する。
【００２６】
また、システム管理装置５は、図示しないが、装置Ａ（１）の各比較部１２０，１３０，１４０から送信された接続状態の判断結果を受け取って記憶し、オペレータが閲覧可能なようディスプレイやプリンタにて出力する。
【００２７】
［動作］
次に、上記構成の接続状態判断システムの動作を、図４を参照して説明する。なお、以下では、図４に示すように、装置Ａ（１）の制御部１２１と、装置Ｂ（２）の制御部２１と、が一対の装置として接続される場合を図示して説明する。但し、装置Ａと他の装置Ｃ，Ｄとの接続状態の判断も同様に実行される。
【００２８】
まず、予めシステム管理装置５に、正常な接続状態は、装置Ａ（１）の制御部１２１と、装置Ｂ（２）の制御部２１と、が接続される状態である、という内容の接続先情報が入力され、記憶されている。そして、オペレータなどによって、実際に、装置Ａの制御部１２１に対応するケーブル１２に、装置Ｂ（２）が接続される。この状態で、システム全体あるいは各装置のスタンバイ電源がオンとされると、システム管理装置５から専用パス６等を介して各装置Ａ，Ｂにそれぞれ対応する接続先情報が送信される（矢印Ｙ１，Ｙ２）。すると、これを受け取った接続先情報格納部１０，２０は、送信された接続先情報を受信して記憶する。例えば、図３の場合と同様に、装置Ａの接続先情報格納部１０には、自装置である制御部１２１の符号Ａ１と接続先となる装置Ｂの制御部２１の符号Ｂ１とが関連付けられた接続先情報が記憶される。また、同様に、装置Ｂの接続先情報格納部２０には、自装置である制御部２１と、その接続先となる装置Ａの制御部１２１の符号Ａ１とが関連付けられた接続先情報が記憶される。
【００２９】
続いて、各接続先格納部１０は、スタンバイ電源がオンの状態で、自己に記憶している接続先情報を装置Ａに装備された比較部１２０に送信する（矢印Ｙ３，Ｙ４）。このとき、装置Ｂの接続先情報格納部２０は、装置Ａの制御部１２１と接続するケーブル１２の信号線を使って、接続先情報を比較部１２０に送信する（矢印Ｙ４）。
【００３０】
続いて、比較部１２０は、装置Ａ（１）の接続先情報格納部１０からの接続先情報と、ケーブル１２を介して送信された装置Ｂ（２）の接続先情報格納部２０からの接続先情報とを照合し、ケーブル１２の接続が正しいか否かを判断する。その後、比較部１２０は、表示部１２２に対して、比較結果を表示するよう指示する（矢印Ｙ５）。例えば、接続が正しい場合には表示部１２２に対して緑のランプを点灯させるよう制御し、一方、誤接続の場合には赤いランプを点灯させるよう制御する。これにより、ケーブル接続作業を行ったオペレータ等は、瞬時に接続チェックを目視で確認することができる。また、比較部１２０は、比較結果をシステム管理装置５にも送信する。これにより、接続が正しいか否かを、システム管理装置５から出力させて、確認することができる。
【００３１】
ここで、仮に、装置Ｂに接続されているケーブル１２が、装置Ａ（１）の制御部１３１と接続されているとする（図１参照）。このとき、装置Ａの接続先情報格納部１０に記憶されている制御部１３１に対応する接続先情報の接続先は、装置Ｃ（３）であるため（図３に示す「Ａ２−Ｃ１」）、装置Ｂから送信された接続先情報（図３に示す「Ａ１−Ｂ１」）とは一致せず、誤接続であると判断する。この場合には、表示部１３２から誤接続の表示を行う。
【００３２】
以上のように、本実施形態では、各装置Ａ，Ｂ，Ｃ，Ｄ間における接続先情報の送信と比較を、システムを立ち上げる前のスタンバイ状態に行うことができ、その結果を出力することができる。従って、迅速かつ容易に接続状態の確認を実行できる。また、仮に誤接続した場合であっても、システムの起動を停止したり、再度立ち上げるなどの作業が不要となるため、迅速かつ容易に接続先の修正を実っこうできる。
【００３３】
また、システム管理装置５に対してオペレータから接続先情報の修正入力が行われ、当該接続先情報の変更が生じた場合には、当該システム管理装置５は、対応する装置の接続先情報格納部に送信して記憶する。これにより、上述同様に、スタンバイ状態にてケーブルの接続が、変更された接続先情報に基づいて正しいか否かが判断される。従って、接続先の変更にも迅速に対応することができる。
【００３４】
ここで、上記では、対となる装置（「装置Ａの制御部１２１と装置Ｂ」など）の各接続先情報格納部１０，２０に、それぞれの接続先を表す接続先情報が記憶されている場合を例示したが、一方の接続先情報格納部には自装置を特定する装置情報を記憶してもよい。この装置情報は、例えば、予め記憶されていたり、あるいはシステム管理装置５から通知されたものが記憶される。そして、他方の接続先情報格納部には、上述同様に、接続先情報が記憶されていることとする。
【００３５】
例えば、図４の例では、装置Ａの接続先情報格納部１０に接続先情報（Ａ１−Ｂ１）が記憶されており、装置Ｂの接続先情報格納部２０には装置情報（Ｂ１）が記憶されていることとする。この場合に、上述同様に、装置Ａの接続先情報格納部１０から接続先情報が比較部１２０に送信されると共に、当該装置Ａの制御部１２１（Ａ１）に接続された装置Ｂの接続先情報格納部１０から装置情報が比較部１２０に送信される。そして、比較部１２０は、受信した接続先情報に、受信した装置情報が含まれているか否かを調べ、これによって一対の装置間の接続が正常であるか否かを判断することもできる。
【００３６】
＜実施形態２＞
次に、本発明の第２の実施形態を、図５乃至図６を参照して説明する。図５は、接続状態判断システムの構成を示すブロック図であり、図６はその一部の動作を示す図である。
【００３７】
図５に示すように、本実施形態は、基本的には実施形態１と同様の構成を採っている。但し、本実施形態の装置Ａ（２０１）は、各制御部２２１，２３１，２４１は装備しているが、上記ではこれらに対応して設けられていた各比較部１２０，１３０，１４０を備えておらず、当該比較部の機能がまとめられた状態で、システム管理装置２０５内に装備されている（符号２５３）。なお、システム管理装置２０５の他の構成は同様である。
【００３８】
また、装置Ａ（２０１）に設けられた接続先情報格納部２１０は、上述同様に、システム管理装置２０５から送信される接続先情報を記憶している（矢印Ｙ１１）。そして、接続先情報格納部２１０は、装置Ａのスタンバイ時の電力にて、記憶している接続先情報をシステム管理装置２０５の比較部２５３に送信する機能を有する（矢印Ｙ１３）。
【００３９】
また、上述したように、各装置Ｂ（３０２）、装置Ｃ（３０３）、装置Ｄ（３０４）は、それぞれ制御部３２１，３３１，３４１を備えており、また、接続先情報ではなく、自装置の装置情報を記憶保持する装置情報格納部３２０，３３０，３４０（装置情報記憶手段）をそれぞれ備えている。なお、この装置情報は、予め記憶されていてもよく、あるいは、システム管理装置２０５から送信されて記憶されてもよい（矢印Ｙ１２）。そして、上記装置情報格納部３２０，３３０，３４０は、各装置Ｂ，Ｃ，Ｄのスタンバイ時の電力にて、装置情報を記憶保持すると共に、自装置Ｂ，Ｃ，Ｄが装置Ａと接続される各ケーブル１２，１３，１４を介して、記憶している装置情報をシステム管理装置２０５の比較部２５３に送信する（矢印Ｙ１４）。
【００４０】
そして、上記システム管理装置２０５に設けられた比較部２５３は、上述したように、装置Ａの接続先情報格納部２１０から送信される接続先情報と、装置Ｂの装置情報格納部３２０から送信される装置情報と、に基づいて、装置間の接続が正しいか否かを判断する。例えば、装置Ａの接続先情報格納部１１０に接続先情報（Ａ１−Ｂ１）が記憶されており、装置Ｂの装置情報格納部３２０には装置情報（Ｂ１）が記憶されていることとする。この場合に、比較部１２０は、装置Ａから受信した接続先情報に、装置Ｂから受信した装置情報が含まれているか否かを調べ、含まれている場合には、一対の装置間の接続が正常であると判断する。一方、含まれていなければ、誤接続であると判断する。
【００４１】
そして、さらに、比較部２５３は、判断結果に応じた発光指令を、装置Ａの各制御部２２１，２３１，２４１に対応して設けられた表示部２２２，２３２，２４２に出力する（矢印Ｙ１５）。
【００４２】
以上のようにしても、上述同様に、オペレータ等は一対の装置を起動する前に接続状態を認識できる。従って、容易かつ迅速に誤接続を検出することができる。また、このとき、比較部２５３はシステム管理装置２０５に設けられているため、スタンバイ時の電力で作動する必要は無く、ハードウェアで構成する必要がないため、ソフトウェアでも実現可能である。
【００４３】
なお、上記では、装置Ｂの装置情報格納部３２０に記憶されており、ケーブル１２を介して装置Ａに送信され、さらにシステム管理装置２０５の比較部２５３に送信される情報は装置情報である場合を例示したが、実施形態１に示すように、装置Ｂに接続先情報が記憶され、当該接続先情報が比較部２５３に送信されてもよい。このようにしても、上述同様に、装置間の誤接続を検出することができる。
【産業上の利用可能性】
【００４４】
本発明は、コンピュータなどの本体装置に周辺装置が複数接続されるシステムなど、複数の装置が接続されるコンピュータシステムに利用することができ、産業上の利用可能性を有する。
【図面の簡単な説明】
【００４５】
【図１】実施形態１における接続状態判断システムの全体構成を示すブロック図である。
【図２】実施形態１におけるシステム管理装置の構成を示すブロック図である。
【図３】実施形態１における接続先情報を説明するための説明図である。
【図４】実施形態１における接続状態判断システムの動作を示す図である。
【図５】実施形態２における接続状態判断システムの全体構成を示すブロック図である。
【図６】実施形態２における接続状態判断システムの動作を示す図である。
【符号の説明】
【００４６】
１  装置Ａ
２  装置Ｂ
３  装置Ｃ
４  装置Ｄ
５  システム管理装置
１０，２０，３０，４０  接続先情報格納部
１２，１３，１４  ケーブル
２１，３１，４１，１２１，１３１，１４１  制御部
５０  接続先情報記憶部
５１  接続先設定部
５２  接続先通知部
１２０，１３０，１４０  比較部
１２２，１３２，１４２  表示部
２０１  装置Ａ
２０５  システム管理装置
２１０  接続先情報格納部
２５３  比較部
３０２  装置Ｂ
３０３  装置Ｃ
３０４  装置Ｄ
３２０，３３０，３４０  装置情報格納部
【図１】
2009104351.tif 000003
【図２】
2009104351.tif 000004
【図３】
2009104351.tif 000005
【図４】
2009104351.tif 000006
【図５】
2009104351.tif 000007
【図６】
2009104351.tif 000008